(57)【要約】【課題】硬貨の投入を容易に行うことが可能な硬貨入金装置を提供する。【解決手段】漏斗状の傾斜面と、当該傾斜面の最下部に設けられ前記傾斜面を滑落した硬貨を投入するための孔とを有する硬貨投入部と、前記傾斜面の一部の上端に連接された金銭載置面と、当該金銭載置面の縁部に設けられた案内壁とを有する金銭載置部と、を備え、前記傾斜面のうち、前記金銭載置面に連接された第１傾斜面の下端は、前記孔を挟んで当該第１傾斜面に対向する第２傾斜面の下端よりも、前記孔の下側に位置する。【選択図】図５
2018147513.tif 000002
【特許請求の範囲】
【請求項１】
少なくとも硬貨が載置される金銭載置面と、
前記硬貨が通過可能な孔と、前記金銭載置面に上端が連接された前記孔に向かって下る第１の傾斜面と、前記第１の傾斜面に対向配置された前記孔に向かって下る第２の傾斜面とを有する硬貨投入部と、
を備え、
前記第１の傾斜面の下端は、前記第２の傾斜面の下端よりも前記孔の下側に位置する硬貨入金装置。
【請求項２】
前記金銭載置面は、その面上にゴミ落とし孔を備える請求項１に記載の硬貨入金装置。
【請求項３】
前記金銭載置面の裏面側に設けられ、前記ゴミ落とし孔から落下したゴミを収納するゴミ受け部を更に備える請求項２に記載の硬貨入金装置。
【請求項４】
前記金銭載置面の面上において、前記ゴミ落とし孔が設けられた領域を除く他の領域に低摩擦材のシートが貼付される請求項２又は３に記載の硬貨入金装置。
【請求項５】
前記金銭載置面の縁部に設けられ、前記金銭載置面に対して垂直に又は前記金銭載置面に向かって下る傾斜を有して形成された案内壁を更に備え、
前記金銭載置面と前記案内壁とを接続する隅部が曲面状に形成される請求項１〜４の何れか一項に記載の硬貨入金装置。
【請求項６】
少なくとも硬貨が載置される金銭載置面と、
前記硬貨が通過可能な第１の孔と、前記金銭載置面に上端が連接された前記第１の孔に向かって下る第１の傾斜面と、前記第１の傾斜面に対向配置された前記第１の孔に向かって下る第２の傾斜面とを有する硬貨投入部と、
前記金銭載置面に設けられた、前記硬貨の直径よりも小さい第２の孔と、
を備える硬貨入金装置。
【請求項７】
前記第２の孔は、前記金銭載置面における前記硬貨投入部の近傍に設けられる請求項６に記載の硬貨入金装置。
【請求項８】
前記第２の孔は、長孔状に形成され、その短辺が前記硬貨の厚みよりも小さい請求項６に記載の硬貨入金装置。
【請求項９】
前記第２の孔の長辺は、前記金銭載置面から前記硬貨投入部に向かう方向に沿って配置される請求項８に記載の硬貨入金装置。
【請求項１０】
前記第２の孔は、多孔である請求項６〜９の何れか一項に記載の硬貨入金装置。
【請求項１１】
少なくとも硬貨が載置される金銭載置面と、
前記硬貨が通過可能な孔と、前記金銭載置面に上端が連接された前記孔に向かって下る第１の傾斜面と、前記第１の傾斜面に対向配置された前記孔に向かって下る第２の傾斜面とを有する硬貨投入部と、
前記金銭載置面の摩擦係数は、当該金銭載置面が設置される筐体の設置面の摩擦係数より低く設定されている硬貨入金装置。
【請求項１２】
前記金銭載置面は、低摩擦材で形成される請求項１１に記載の硬貨入金装置。
【請求項１３】
前記金銭載置面の面上に、当該金銭載置面の使用態様が表示される請求項１１又は１２に記載の硬貨入金装置。
【請求項１４】
前記金銭載置面の面上に、前記硬貨を載置可能なことを案内するガイド情報が前記使用態様として表示される請求項１３に記載の硬貨入金装置。
【請求項１５】
前記金銭載置面の面上に、前記硬貨投入部の方向に前記硬貨を滑らすことを案内するガイド情報が前記使用態様として表示される請求項１３又は１４に記載の硬貨入金装置。
【請求項１６】
少なくとも硬貨が載置される金銭載置面と、
前記硬貨が通過可能な孔と、前記金銭載置面に上端が連接された前記孔に向かって下る第１の傾斜面と、前記第１の傾斜面に対向配置された前記孔に向かって下る第２の傾斜面とを有する硬貨投入部と、
前記金銭載置面と前記硬貨投入部との周縁を一体的に囲む凸状の周縁部と、
を備える硬貨入金装置。
【請求項１７】
前記周縁部の角部は、曲面状に形成される請求項１６に記載の硬貨入金装置。
【請求項１８】
前記金銭載置面の縁部に設けられ、前記金銭載置面に対して垂直に又は前記金銭載置面に向かって下る傾斜を有して形成された案内壁を更に備え、
前記周縁部は、前記案内壁の上端に位置する請求項１６又は１７に記載の硬貨入金装置。
【請求項１９】
前記案内壁は、前記金銭載置面と滑らかに接続される請求項１８に記載の硬貨入金装置。
【請求項２０】
前記案内壁と前記金銭載置面とを接続する隅部は、曲面状に形成される請求項１９に記載の硬貨入金装置。
【発明の詳細な説明】
【技術分野】
【０００１】
本発明の実施形態は、硬貨入金装置に関する。
【背景技術】
【０００２】
スーパーマーケット等で使用されるＰＯＳ（Point  Of  Sales）端末等には、客から預かった金銭をドロアにしまう前に一時的に置いて確認するためのエリアが設けられている。このようなエリアは、吟味台や検銭台と呼ばれている。従来、吟味台と硬貨受入口とを直線的に連接することで、吟味台から硬貨受入口へ硬貨を投入可能な構成が提案されている。
【０００３】
また、近年、スーパーマーケット等では、客自身で決済処理を行うことが可能なセルフチェックアウト装置が用いられている。このようなセルフチェックアウト装置では、客が硬貨の投入動作を一度で完了できるよう、複数枚の硬貨を一度に受け入れることが可能な漏斗状の硬貨投入部を有するものがある。
【０００４】
ところで、セルフチェックアウト装置を利用する客の中には、財布の中の硬貨をセルフチェックアウト装置上に一旦並べて確認した後に、当該硬貨を硬貨投入部に投入する客が存在する。このような利用法の場合、客は、セルフチェックアウト装置上に並べた硬貨を再度持ち直して硬貨投入部に投入することになる。そのため、セルフチェックアウト装置に従来構成の吟味台を設けることが考えられるが硬貨投入部の構造が異なるため、そのまま用いることは困難である。また、セルフチェックアウト装置では、操作に不慣れな客も多いため、硬貨の投入を容易に行うことが可能な技術が望まれている。
【発明の概要】
【発明が解決しようとする課題】
【０００５】
本発明が解決しようとする課題は、硬貨の投入を容易に行うことが可能な硬貨入金装置を提供することである。
【課題を解決するための手段】
【０００６】
実施形態の硬貨入金装置は、少なくとも硬貨が載置される金銭載置面と、前記硬貨が通過可能な孔と、前記金銭載置面に上端が連接された前記孔に向かって下る第１の傾斜面と、前記第１の傾斜面に対向配置された前記孔に向かって下る第２の傾斜面とを有する硬貨投入部と、を備え、前記第１の傾斜面の下端は、前記第２の傾斜面の下端よりも前記孔の下側に位置する。
【図面の簡単な説明】
【０００７】
【図１】図１は、実施形態にかかるセルフチェックアウト装置の外観を示す正面図である。
【図２】図２は、決済端末の扉を開放とした状態の外観を示す斜視図である。
【図３】図３は、セルフチェックアウト装置を上方から見た状態の外観を示す斜視図である。
【図４】図４は、硬貨投入部付近の外観を示す平面図である。
【図５】図５は、図４に示したＡ−Ａラインでの断面を模式的に示す図である。
【図６】図６は、図５に示した硬貨投入部の断面を拡大した図である。
【図７】図７は、硬貨投入部の他の構成例を説明するための図である。
【図８】図８は、金銭載置部の他の構成例を説明するための図である。
【図９】図９は、金銭載置部の他の構成例を説明するための図である。
【発明を実施するための形態】
【０００８】
以下に添付図面を参照して、硬貨入金装置の実施形態を詳細に説明する。本実施形態は、硬貨入金装置として、客が自身で商品登録及び決済を行うためのセルフチェックアウト装置の決済端末を適用した例について説明するものである。
【０００９】
図１は、実施形態にかかるセルフチェックアウト装置１００の外観を示す正面図である。図１に示すように、セルフチェックアウト装置１００は、決済端末１と、籠置き棚２と、袋詰め棚３とを備えている。決済端末１は、入出金部４、読取部５及び表示操作部６等を備えている。また、決済端末１は、その内部に各部を制御する図示しない制御部を備えている。
【００１０】
決済端末１は、第１筐体１１と第２筐体１２とを備えている。第１筐体１１は、開放及び閉止可能な扉１１１を備える。扉１１１は、ヒンジ部１１１ａを中心に上下方向に回動する。第１筐体１１は、内部に、入出金部４を構成する紙幣釣銭機（紙幣入出金装置）４１及び硬貨釣銭機（硬貨入出金装置）４２（何れも図２参照）を収納している。第２筐体１２は、内部に、図示しない制御部を収納している。
【００１１】
読取部５は、商品を特定するために、商品の外観や商品に付された符号（バーコード等）を読み取るスキャナ５０を備えている。また、読取部５は、レシート等を印字するプリンタ５１を備えている。プリンタ５１は、排出されたレシートを支持するレシート排出台５１ａを第１筐体１１から突出させている。すなわち、レシート排出台５１ａは、第１筐体１１に突出して設けられた凸形状の凸部である。さらに、読取部５は、クレジットカード等の読取りを行うカードリーダ５２を備えている。
【００１２】
表示操作部６は、モニタ６１と、タッチパネル６２とを備える。モニタ６１は、図示しない制御部の制御に従って画像を表示する。タッチパネル６２は、モニタ６１の表面に設けられており、オペレータが触れた位置に基づく情報を図示しない制御部に出力する。
【００１３】
籠置き棚２は、籠内の商品を取り出して読取部５にかざす動作を行う際に、籠の置き場とする物置台である。籠置き棚２は、決済端末１の一側方に設けられている。
【００１４】
袋詰め棚３は、スキャン後の商品を袋詰めするための台である。袋詰め棚３は、決済端末１の他側方（籠置き棚２の反対側）に設けられている。
【００１５】
図２は、決済端末１の扉１１１を開放とした状態の外観を示す斜視図である。図２に示すように、第１筐体１１は、扉１１１を上方に回動させることで第１筐体１１の内部を開放し、紙幣釣銭機４１及び硬貨釣銭機４２を露出する。紙幣釣銭機４１と硬貨釣銭機４２とは、第１筐体１１内に重ねて収納されており、紙幣釣銭機４１が硬貨釣銭機４２の下に位置している。
【００１６】
紙幣釣銭機４１は、取り込んだ紙幣の正否を判別して正貨を収納し、釣銭としての紙幣を出金する。硬貨釣銭機４２は、取り込んだ硬貨の正否を判別して収納し、釣銭としての硬貨を出金する。紙幣釣銭機４１及び硬貨釣銭機４２は、収納した貨幣の金額を図示しない制御部へ連絡する。また、紙幣釣銭機４１及び硬貨釣銭機４２は、図示しない制御部から、釣銭として出金すべき金額の連絡を受ける。
【００１７】
図３は、セルフチェックアウト装置１００を上方から見た状態の外観を示す斜視図である。図３に示すように、第１筐体１１は、その上面に硬貨釣銭機４２に入金する硬貨の投入口となる硬貨投入部４２１と、金銭載置部７０とを並べて設けている。なお、図３では、決済端末１の左方から右方に向けて、金銭載置部７０と硬貨投入部４２１とを並設した例を示しているが、配置の順序や方向はこれに限らないものとする。
【００１８】
また、第１筐体１１（入出金部４）は、硬貨投入部４２１及び金銭載置部７０が設けられた奥側から手前側に向けて、硬貨排出皿４２２及びリジェクト皿４２３と、紙幣投入口４１１及び紙幣排出口４１２とを順に階段状に設けている。すなわち、硬貨投入部４２１及び金銭載置部７０が設けられている面が上段、硬貨排出皿４２２及びリジェクト皿４２３が設けられている面が中段、紙幣投入口４１１及び紙幣排出口４１２が設けられている面が下段である。このように各種の投入口や排出口（排出皿）を階段状に配設することにより、奥側から手前にかけて全ての投入口や排出口（排出皿）を見渡すことができるようになっている。
【００１９】
硬貨排出皿４２２は、硬貨釣銭機４２から排出された硬貨を受ける受け皿である。リジェクト皿４２３は、変形硬貨、外国銭、偽貨等の硬貨釣銭機４２内に収容すべきではない硬貨（リジェクト硬貨）を受ける受け皿である。硬貨投入部４２１と硬貨排出皿４２２とリジェクト皿４２３との位置関係は、硬貨釣銭機４２の構造に依存している。
【００２０】
図３に示すように、硬貨排出皿４２２は、硬貨投入部４２１が設けられた決済端末１の幅方向端部とは反対側端部に設けられている。このように硬貨投入部４２１と硬貨排出皿４２２とは、高さ方向と幅方向と奥行き方向においてそれぞれずらして設けられているので、硬貨排出皿４２２に対する視認性、操作性が良好なものとなっている。なお、リジェクト皿４２３は、硬貨投入部４２１の下方位置において硬貨排出皿４２２に並べられて設けられている。
【００２１】
紙幣投入口４１１は、紙幣釣銭機４１に入金する紙幣の投入口である。紙幣排出口４１２は、紙幣釣銭機４１から排出される紙幣の排出口である。紙幣投入口４１１と紙幣排出口４１２との位置関係は、紙幣釣銭機４１の構造に依存している。
【００２２】
次に、図４〜図６を参照して、硬貨投入部４２１及び金銭載置部７０付近の構成について説明する。ここで、図４は、硬貨投入部４２１付近の外観を示す平面図である。図５は、図４に示したＡ−Ａラインでの断面を模式的に示す図である。また、図６は、図５に示した硬貨投入部４２１の断面を拡大した図である。
【００２３】
図４に示すように、第１筐体１１（扉１１１）は、硬貨投入部４２１と、当該硬貨投入部４２１に対して決済端末１の幅方向に並ぶ位置に連設された金銭載置部７０とを備えている。
【００２４】
金銭載置部７０は、一般には、吟味台や検銭台と呼ばれている。金銭載置部７０は、決済端末１の決済処理の際に、客が財布から金銭を取り出して並べ、支払いに使用する金銭を目視で確認するためのものである。
【００２５】
金銭載置部７０は、第１筐体１１の面上から窪んだ凹形状を有する。より詳細には、金銭載置部７０は、凹形状の底部を形成する平面形状の金銭載置面７１と、凹形状の壁部を形成する案内壁７２とを備えている。なお、金銭載置面７１は、平面形状に限るものではなく、凹面形状に湾曲していてもよい。
【００２６】
金銭載置面７１は、金銭（硬貨、紙幣）を載せるための面である。客は、財布から金銭を取り出して金銭載置面７１に載置することで、支払いに使用する金銭を確認することができる。
【００２７】
ところで、財布から取り出された金銭が金銭載置面７１に載置される際に、金銭以外の異物（以下、ゴミという）も一緒に金銭載置面７１に載置されてしまう可能性がある。このようなゴミが、硬貨投入部４２１から硬貨釣銭機４２内に入ると、不具合発生の要因となるため、ゴミを排除することが要求される。
【００２８】
そこで、本実施形態では、金銭載置面７１の面上に、ゴミ落とし孔７３を設けることで、金銭以外のゴミを金銭載置面７１の面上から取り除く。以下、ゴミ落とし孔７３について説明する。
【００２９】
ゴミ落とし孔７３は、硬貨が落ちない程度の大きさで形成されている。具体的には、ゴミ落とし孔７３の直径（長径）は、硬貨の外径よりも小さく形成される。より好ましくは、ゴミ落とし孔７３の直径は、硬貨釣銭機４２に入金可能な硬貨のうち、その径（外径）が最も小さな硬貨よりも小さく形成される。これにより、硬貨を金銭載置面７１上に留めたまま、硬貨以外のゴミをゴミ落とし孔７３から落下させることができる。
【００３０】
また、ゴミ落とし孔７３は、図４に示すように長孔状に形成してもよい。この場合、ゴミ落とし孔７３の短辺（短径）は、硬貨の厚みよりも小さく形成される。より好ましくは、ゴミ落とし孔７３の短辺は、硬貨釣銭機４２に入金可能な硬貨のうち、その厚みが最も小さな硬貨よりも小さく形成される。なお、ゴミ落とし孔７３を長孔状とする場合、ゴミ落とし孔７３の長辺は、金銭載置面７１から硬貨投入部４２１に向かう方向に沿って配置することが好ましい。このように配置することで、金銭載置面７１から硬貨投入部４２１の方向に硬貨を滑らせた際に、硬貨がゴミ落とし孔７３に嵌ったり、引っ掛かったりすることを防ぐことができる。これにより、金銭載置面７１上の硬貨をスムーズに硬貨投入部４２１に運ぶことができ、硬貨の投入を容易に行うことができる。なお、ゴミ落とし孔７３の形状は、長孔状に限らず、円や矩形等、他の形状であってもよい。
【００３１】
また、ゴミ落とし孔７３は、多孔で構成してもよい。例えば、図４に示すように、長孔（スリット）状のゴミ落とし孔７３を、千鳥状又は格子状等に配列して構成してもよい。このように配列することで、金銭載置面７１の平面形状を確保したまま、ゴミ落とし孔７３の面積や設置領域を拡大することができるため、金銭載置面７１上のゴミを効率的に排除することができる。
【００３２】
また、ゴミ落とし孔７３は、例えば、図４に示すように、金銭載置面７１における硬貨投入部４２１の近傍に設けられる。これにより、客が硬貨を硬貨投入部４２１の方向に滑らせた際に、当該硬貨とともに運ばれてきたゴミをゴミ落とし孔７３から落下させることができるため、金銭載置面７１上のゴミを効率的に排除することができる。
【００３３】
なお、ゴミ落とし孔７３の設置位置は、図４の例に限らず、金銭載置面７１の面上の他の位置に設けてもよい。また、図４では、金銭載置面７１の一部にゴミ落とし孔７３を設けているが、これに限らず、複数の部分にゴミ落とし孔７３を設けてもよいし、金銭載置面７１の全面にゴミ落とし孔７３を設けてもよい。
【００３４】
金銭載置面７１の裏面側のゴミ落とし孔７３に対応する位置には、ゴミ落とし孔７３から落下したゴミを収納するためのゴミ受け部８０（図５参照）が設けられている。ゴミ受け部８０は、金銭載置面７１の裏面側に開口部（図示せず）を有し、ゴミ落とし孔７３を通過したゴミを収納部８１に収納する。また、ゴミ受け部８０は、第１筐体１１（金銭載置面７１）と着脱自在に構成される。
【００３５】
また、金銭載置面７１から硬貨を滑らして硬貨投入部４２１に投入するような場合、金銭載置面７１の面上をスムーズに移動できることが操作性の観点から要求される。
【００３６】
そこで、本実施形態では、金銭載置面７１の摩擦係数を当該金銭載置面７１が設置される第１筐体１１の設置面の摩擦係数より低く設定している。より詳細には、金銭載置面７１の面上には、摩擦係数より低くするための加工が施されている。例えば、金銭載置面７１の面上に、フッ素樹脂等の低摩擦材をコーティングすることで、第１筐体１１の設置面の摩擦係数より低く設定される。また、例えば、金銭載置面７１の面上に、微細なディンプル形状やリブ形状等の凹凸を形成することで、第１筐体１１の設置面の摩擦係数より低く設定される。
【００３７】
図４では、金銭載置面７１の面上に、フッ素樹脂等の低摩擦材がコーティングされたシート７１ａを貼付した例を示している。図４のように、金銭載置面７１の面上に、第１筐体１１の設置面の摩擦係数より低い摩擦特性を有するシート７１ａ等を貼付することで、一体的に金銭載置面７１を形成してもよい。
【００３８】
なお、金銭載置面７１の面上にシート７１ａを貼付する場合、シート７１ａは、金銭載置面７１の面上において、ゴミ落とし孔７３が設けられた領域を除く他の領域に貼付することが好ましい。また、金銭載置面７１の面上にシート７１ａを貼付することで、載置された硬貨によって金銭載置面７１が汚れたり傷ついたりするのを防止することができる。
【００３９】
このように、金銭（硬貨）が載置される金銭載置面７１の面上は、第１筐体１１の設置面の摩擦係数より低く設定されているため、硬貨をスムーズに滑らすことができる。したがって、金銭載置面７１から硬貨投入部４２１への硬貨の投入をスムーズに行うことができるため、客は硬貨の投入を容易に行うことができる。
【００４０】
また、セルフチェックアウト装置では、操作に不慣れな客も多いため、金銭載置面７１をどのように使用すればよいのか把握し難いという問題がある。
【００４１】
そこで、本実施形態では、金銭載置面７１の面上に金銭載置部７０（金銭載置面７１）の使用態様（使用方法）を説明する文字やイラスト等の情報を表示する。なお、表示方法は特に問わず、種々の形態が可能である。
【００４２】
例えば、図４に示すように、硬貨を載置可能なことを案内するガイド情報Ｇ１やガイド情報Ｇ２を、金銭載置面７１の面上に表示する。これにより、客はガイド情報Ｇ１及びガイド情報Ｇ２を見ることで、金銭載置面７１の面上に硬貨を載置することを容易に把握することができる。また、図４に示すように、硬貨投入部４２１の方向に硬貨を滑らすことを案内するガイド情報Ｇ３を、金銭載置面７１の面上に表示する。これにより、客はガイド情報Ｇ３を見ることで、硬貨投入部４２１の方向に硬貨を滑らすことを容易に把握することができる。なお、図４では、シート７１ａの面上に表示した例を示しているが、シート７１ａを貼付しない場合には、金銭載置面７１の面上に直接表示する構成としてもよい。
【００４３】
このように、金銭載置面７１の面上に使用態様（使用方法）を表示することで、客は金銭載置面７１の使用方法を容易に把握することができるため、利便性の向上を図るとともに、硬貨の投入を容易に行うことができる。
【００４４】
また、金銭載置面７１の縁部には、案内壁７２が設けられている。より詳細には、案内壁７２は、金銭載置面７１における硬貨投入部４２１（傾斜面４２１１）との連接部分（辺）を除く縁部に設けられる。案内壁７２は、金銭載置面７１よりも上方に突出して当該金銭載置面７１上に載置された金銭（特に、硬貨）の側部を支持する。案内壁７２は、金銭載置面７１に対して垂直に、又は金銭載置面７１に下る傾斜を有して設けられる。案内壁７２の高さ、つまり金銭載置部７０の凹形状の深さは、硬貨の厚みよりも大きな値、例えば１５ｍｍ等である。なお、金銭載置部７０の凹形状部分の深さは、第１筐体１１の内部を開放した状態において、プリンタ５１のレシート排出台５１ａとの衝突を回避可能な深さに設定される。
【００４５】
また、案内壁７２の下方は、金銭載置面７１と滑らかに繋がるように形成されている。より詳細には、金銭載置面７１と案内壁７２とを接続する隅部は、金銭載置面７１と案内壁７２とを滑らかに接続する曲面状に形成されている。この曲面形状により、金銭載置面７１から案内壁７２に沿って硬貨をスムーズに滑らすことができるため、金銭載置部７０から硬貨を取り出す際の容易性を実現できる。なお、隅部の曲率半径は特に問わず、例えば１０Ｒ等としてもよい。
【００４６】
なお、図４の例では、金銭載置面７１と案内壁７２とを接続する隅部の全てを曲面状としたが、これに限らず、一部の隅部のみを曲面状としてもよい。例えば、利用者により硬貨の取り出しが行われる手前側の隅部を曲面状としてもよい。また、案内壁７２の上方と第１筐体１１とを接続する角部（後述する周縁部９１の上端部）は、上記と同様に曲面状としてもよいし、平面的（直線的）に接続する構成としてもよい。
【００４７】
このように第１筐体１１の扉１１１に凹形状で形成された金銭載置部７０は、扉１１１を上方に回動させて第１筐体１１の内部を開放した状態において、プリンタ５１のレシート排出台５１ａに干渉する位置に設けられる。
【００４８】
また、図４に示すように、第１筐体１１は、金銭載置部７０近傍において、当該第１筐体１１の奥側にセットバックしている。つまり、金銭載置部７０での手前側の案内壁７２と、当該案内壁７２に対向する第１筐体１１の壁面との間の距離は、硬貨投入部４２１での距離と比較し短く形成されている。これにより、金銭載置部７０の下方に存在する硬貨排出皿４２２を客から見えやすくすることができる。また、第１筐体１１の縁に親指等をかけた状態で、金銭載置部７０から硬貨を摘まむように取り出すことできるため、金銭載置部７０から硬貨を取り出す際の操作性を向上させることができる。
【００４９】
一方、硬貨投入部４２１は、外側から内側へ向かって下る漏斗状の傾斜面４２１１と、傾斜面４２１１の最下部に設けられた孔４２１２とを有している。また、硬貨投入部４２１は、金銭載置面７１と連接する位置に、傾斜面４２１１から連なる平面形状の連結部４２１３を有している。なお、連結部４２１３は、金銭載置面７１が凹面形状に湾曲している場合には、当該形状に合わせて成型されていることは言うまでもない。
【００５０】
孔４２１２は、１枚以上の硬貨が通過可能な大きさを有する。つまり、孔４２１２の寸法は、長手方向には、径が最大の硬貨の直径よりも大きく、長手方向に直交する幅方向には、最も厚い硬貨の厚さよりも大きい。また、孔４２１２の寸法は、複数枚の硬貨が重なって通過できる程度であるとより好ましい。つまり、孔４２１２の幅方向の寸法が、最も厚い硬貨の厚さの２倍よりも大きければより好ましい。
【００５１】
また、孔４２１２は、長孔であって、決済端末１の正面に立った客から見て縦長である。つまり、孔４２１２の長辺が、金銭載置部７０及び硬貨投入部４２１の並び方向と直交する方向（決済端末１の前後方向）に沿うように配置されている。このように、孔４２１２を配置することで、硬貨投入部４２１は、金銭載置面７１上から投入される硬貨を効率的に受け入れることが可能となる。
【００５２】
傾斜面４２１１は、孔４２１２に硬貨を滑落させるためのガイド部材である。本実施形態の硬貨投入部４２１では、傾斜面４２１１のうち孔４２１２を挟む一対の部分において、孔４２１２に接する位置が異なっている。これについて、以下に説明する。
【００５３】
傾斜面４２１１は、孔４２１２を前後に挟む一対の傾斜面４２１１ａ、４２１１ｂと、孔４２１２を左右から挟む一対の傾斜面４２１１ｃ、４２１１ｄとを有する。ここで、傾斜面４２１１ｃは、第１の傾斜面に対応する。傾斜面４２１１ｃの上端は連結部４２１３（金銭載置面７１）に連接され、孔４２１２に向かって下る傾斜を有している。なお、傾斜面４２１１ｃの下端は孔４２１２の長辺に接する。また、傾斜面４２１１ｄは、第２の傾斜面に対応する。傾斜面４２１１ｄは、孔４２１２を挟んで傾斜面４２１１ｃに対向配置され、孔４２１２に向かって下る傾斜を有している。なお、傾斜面４２１１ｄの下端は孔４２１２の長辺に接する。また、傾斜面４２１１ａ、４２１１ｂ及び４２１１ｄは、滑らかに連接され、その上端は案内壁７２と同等の高さとなっている。また、傾斜面４２１１ａ、４２１１ｂは、連結部４２１３を介して案内壁７２に連接される。これにより、金銭載置部７０及び硬貨投入部４２１は一体的な形状を呈する。
【００５４】
これら傾斜面４２１１ｃ、４２１１ｄのうち、傾斜面４２１１ｃの下端が孔４２１２に接する位置は、傾斜面４２１１ｄの下端が孔４２１２に接する位置よりも低い位置になっている（図５、図６参照）。つまり、傾斜面４２１１ｃの下端は、傾斜面４２１１ｄの下端よりも、孔４２１２の下側に位置している。孔４２１２に対する傾斜面４２１１ｃと傾斜面４２１１ｄとの高さの差は、例えば７〜８ｍｍ程度である。
【００５５】
ここで、上記した硬貨投入部４２１内での硬貨の挙動について説明する。まず、本実施形態の硬貨投入部４２１の構成とは異なる他の構成について説明する。
【００５６】
例えば、本実施形態の硬貨投入部４２１と異なる構成（以下、従来構成という）の一例として、孔４２１２に対する傾斜面４２１１ｃの下端が、傾斜面４２１１ｄの下端と同等の高さで形成された構成を想定する。この従来構成では、金銭載置面７１から硬貨が投入されると、当該硬貨は傾斜面４２１１ｃに沿って滑落する。この際、傾斜面４２１１ｃと傾斜面４２１１ｄと下端が同等の高さであることから、付勢によって硬貨が傾斜面４２１１ｄに乗り上げてしまうことがあった。また、金銭載置面７１から複数の硬貨が続けて投入されると、傾斜面４２１１ｄに乗り上げた硬貨が孔４２１２を塞ぎ、他の硬貨が孔４２１２に落下するのを妨げることがあった。このように、従来構成では、金銭載置面７１から硬貨投入部４２１（孔４２１２）に硬貨をスムーズに投入できない場合がある。
【００５７】
一方、本実施形態の硬貨投入部４２１では、図６に示すように、孔４２１２に対する傾斜面４２１１ｃの下端が、傾斜面４２１１ｄの下端より低く形成されている。そのため、傾斜面４２１１ｃに沿って滑落した硬貨Ｃを、傾斜面４２１１ｄに乗り上げることなく、孔４２１２内にスムーズに投入することができる。
【００５８】
また、図６に示すように、孔４２１２は筒状の孔であるため、傾斜面４２１１ｃに沿って滑落した硬貨Ｃは、傾斜面４２１１ｄの下方に位置する孔４２１２の内壁４２１２ａに突き当たる。そして、硬貨Ｃは、内壁４２１２ａへの突き当たりにより滑落を停止し、孔４２１２内へと落下する。このように、本実施形態の硬貨投入部４２１では、金銭載置面７１から硬貨投入部４２１（孔４２１２）への硬貨のスムーズな投入を実現することができる。
【００５９】
なお、傾斜面４２１１ｃ及び傾斜面４２１１ｄの勾配は、特に問わないものとする。また、本実施形態では、傾斜面４２１１ｃ及び傾斜面４２１１ｄは、下端が孔４２１２の短辺に接するよう対向配置された、孔４２１２に向かって下る傾斜面としたが、その勾配は、傾斜面４２１１ｃや傾斜面４２１１ｄと同等であってもよいし、異なっていてもよい。また、例えば、傾斜面４２１１ａ及び傾斜面４２１１ｂは、垂直な面としてもよい。
【００６０】
また、本実施形態では、金銭載置部７０（金銭載置面７１）と硬貨投入部４２１とが直線的に連接される。これにより、金銭載置部７０から硬貨投入部４２１への硬貨の移動（投入）が容易となる。
【００６１】
更に、本実施形態では、図４等に示すように、金銭載置部７０（金銭載置面７１）と硬貨投入部４２１との周縁に、当該周縁を一体的に囲む凸状の周縁部９１を設けている。具体的には、周縁部９１は、上記した金銭載置部７０の案内壁７２に上端部、傾斜面４２１１（４２１１ａ、４２１１ｂ、４２１１ｄ）の上端部及び連結部４２１３の上端部に設けられる。周縁部９１は、凸状の形状を有し、金銭載置部７０及び硬貨投入部４２１を第１筐体１１の上面に設置した際に、当該上面より突出するよう形成される。また、周縁部９１の上端の角部は、曲面状に形成される。なお、周縁部９１の高さは、特に問わないものとするが、指が引っ掛かる程度の高さ（例えば７ｍｍ等）とすることが好ましい。
【００６２】
このように、金銭載置部７０と硬貨投入部４２１との周縁に凸状の周縁部９１を設けることで、金銭載置部７０から硬貨投入部４２１に硬貨を投入する際の操作性を向上させることができる。例えば、金銭載置部７０から硬貨を滑らして硬貨投入部４２１に投入する場合、周縁部９１に沿って親指をスライドさせながら、金銭載置面７１上の硬貨を人差し指を滑らすことで、硬貨投入部４２１の方向に硬貨を容易に移動させることができる。したがって、金銭載置面７１から硬貨投入部４２１への硬貨のスムーズな投入を実現することができる。
【００６３】
また、周縁部９１の上端の角部が曲面状に形成されているため、手や指が周縁部９１に触れた際の感触を良くすることができる。また、この構成により、金銭載置部７０や硬貨投入部４２１から硬貨を取り出す際の操作性を向上させることができる。例えば、第１筐体１１の正面側から硬貨を取り出す場合、周縁部９１に親指をかけた状態で、硬貨を取り出すことができる。また、第１筐体１１の奥側から硬貨を取り出す場合、周縁部９１に人差し指をかけた状態で、親指により硬貨を取り出すことができる。したがって、金銭載置部７０や硬貨投入部４２１から硬貨をスムーズに取り出すことができる。
【００６４】
また、決済端末１は、当該金銭載置面７１の上又は当該金銭載置面７１の周辺に置かれた物体（財布や硬貨等）を検出する図示しないセンサを備えている。センサとしては、光センサ、磁気センサ、画像センサ等が挙げられる。光センサは、例えば、当該光センサの光軸が金銭載置面７１を這うように配され、光軸が遮られると金銭載置面７１上に物体があると判定する。磁気センサは、例えば、金銭載置面７１の裏側にあたる位置に配され、金属を検知すると金銭載置面７１上に物体があると判定する。画像センサは、例えば、金銭載置面７１の上方に配され、画像認識により金銭載置面７１上に物体があると判定する。図示しない制御部は、センサの判定結果に基づき、金銭の残留を報知する処理等を実行する。
【００６５】
上記の構成により、第１筐体１１（入出金部４）では、金銭載置部７０から硬貨投入部４２１への硬貨投入を可能にしている。具体的には、客は、決済端末１の決済処理の際に、財布から支払いに用いる金銭（硬貨、紙幣）を取り出して金銭載置部７０の金銭載置面７１に並べて確認する。次に、客は、金銭載置面７１上を滑らせて硬貨投入部４２１に硬貨を運ぶ。この際、金銭載置部７０の案内壁７２は、硬貨の側部を支持することで、金銭載置面７１から硬貨が落下するのを阻止する。また、金銭載置部７０のゴミ落とし孔７３は、硬貨に付着したゴミ等をゴミ受け部８０に落とすことで、硬貨投入部４２１内にゴミ等が入るのを阻止する。また、周縁部９１は、金銭載置面７１から硬貨投入部４２１に硬貨を滑らす際の操作性を向上させる。
【００６６】
また、図６に示すように、硬貨投入部４２１に運ばれた硬貨Ｃは、傾斜面４２１１ｃに沿って滑落する。この際、傾斜面４２１１ｃ及び傾斜面４２１１ｄは、孔４２１２に対する高低差により硬貨Ｃを孔４２１２の内壁４２１２ａに突き当てることで、第１筐体１１（孔４２１２）内への投入を促す。
【００６７】
また、金銭載置部７０から硬貨を取り出す場合、客は、金銭載置面７１から案内壁７２に沿って硬貨を滑らせることで硬貨を取り出す。この際、金銭載置面７１及び案内壁７２は、両部材を接続する隅部の形状（曲面状）により、硬貨の取り出す際の容易性を実現する。また、周縁部９１は、金銭載置部７０や硬貨投入部４２１から硬貨を取り出す際の容易性を実現する。
【００６８】
このように、本実施形態によれば、金銭載置面７１から硬貨投入部４２１（孔４２１２）に硬貨をスムーズに投入できるため、硬貨の投入を容易に行うことができる。また、金銭載置面７１から硬貨を取り出す場合であっても、金銭載置面７１から案内壁７２に沿って硬貨を滑らすことで、金銭載置部７０から硬貨を容易に取り出すことができる。
【００６９】
なお、本実施形態では、硬貨入金装置として、顧客が自身で商品登録及び決済を行うためのセルフチェックアウト装置１００の決済端末１を適用した例について説明したが、これに限るものではない。例えば、決済装置として、セミセルフのチェックアウトレーンに設置され、店員による商品登録の後、顧客による決済処理に用いられる会計機を適用するようにしてもよい。また、決済装置として、飲食店の食券等を発行する券売機（発券機）、駐車場や駅等の精算機、自動販売機等を適用することもできる。さらに、硬貨入金装置の適用先は、決済装置以外であってもよく、硬貨や貨幣以外のコインの投入を伴う装置であれば、その種別や用途は特に問わないものとする。
【００７０】
また、本実施形態では、金銭載置部７０から硬貨投入部４２１に硬貨を投入する例について説明したが、これに限らず、硬貨投入部４２１に直接硬貨を投入してもよい。例えば、金銭載置部７０の金銭載置面７１に硬貨を載置した後、当該硬貨を取り上げて硬貨投入部４２１に投入する利用法としてもよい。なお、本実施形態では、この利用法においても、金銭載置部７０から硬貨を容易に取り出すことができるため、硬貨投入部４２１への硬貨の投入を容易に行うことができる。
【００７１】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００７２】
例えば、上述した実施形態では、硬貨投入部４２１の孔４２１２を筒状とし、投入された硬貨を第１筐体１１の下方向に運ぶ構成としたが、この構成に限らないものとする。例えば、図７に示すように、孔４２１２を他の形状とし、下方向以外の他の方向に硬貨を運ぶ構成としてよい。
【００７３】
ここで、図７は、硬貨投入部４２１の他の構成例を説明するための図である。図７では、孔４２１２を、傾斜面４２１１ｃに対向する傾斜面４２１１ｄの下側に設けた例を示している。図７に示すように、傾斜面４２１１ｄの下端は孔４２１２の上側に接続され、傾斜面４２１１ｃの下端は孔４２１２の下側に接続される。
【００７４】
また、孔４２１２は、例えば長孔で形成される。孔４２１２は、長辺が金銭載置部７０及び硬貨投入部４２１の並び方向と直交する決済端末１の前後方向に沿うよう配置され、短辺が決済端末１の上下方向に沿うよう配置される。なお、孔４２１２の寸法は、上述した構成と同様、長手方向には、径が最大の硬貨の直径よりも大きく、長手方向に直交する幅方向には、最も厚い硬貨の厚さよりも大きい。また、孔４２１２の寸法は、複数枚の硬貨が重なって通過できる程度であるとより好ましい。つまり、孔４２１２の幅方向の寸法が、最も厚い硬貨の厚さの２倍よりも大きければより好ましい。
【００７５】
図７のように硬貨投入部４２１を構成することで、傾斜面４２１１ｃに沿って滑落した硬貨Ｃは、孔４２１２内に入ることで、第１筐体１１の右方向に運ばれる。その際、傾斜面４２１１ｃの下端は、傾斜面４２１１ｃの下端よりも孔４２１２の下側に位置するため、傾斜面４２１１ｃに沿って滑落した硬貨Ｃを、傾斜面４２１１ｄに乗り上げることなく、孔４２１２内にスムーズに投入することができる。
【００７６】
また、上述した実施形態では、レシート排出台５１ａとの関係から金銭載置部７０（金銭載置面７１）を、第１筐体１１の上面より窪んだ凹形状としたが、金銭載置部７０の形状はこれに限らないものとする。例えば、図８、図９に示すように、第１筐体１１の面と同じ高さに金銭載置面７１を形成してもよい。
【００７７】
ここで、図８及び図９は、金銭載置面７１の他の構成例を説明するための図である。図８、図９に示すように、この構成では、金銭載置面７１は、第１筐体１１の面上に形成されている。また、この構成では、案内壁７２は不要となるため金銭載置部７０から取り除かれる。
【００７８】
周縁部９１は、金銭載置面７１及び硬貨投入部４２１の周縁を一体的に囲み、第１筐体１１の上面より突出した凸形状を有する。つまり、この構成では、金銭載置面７１周縁の周縁部９１が、案内壁７２として機能し、金銭載置面７１と案内壁７２とで凹形状を形成する。また、周縁部９１は、金銭載置面７１に載置される硬貨の側部を支持することで、金銭載置面７１から硬貨が落下するのを阻止する。なお、金銭載置面７１と周縁部９１とを接続する隅部は、金銭載置面７１と周縁部９１とを滑らかに接続する曲面状に形成されることが好ましい。また、周縁部９１の高さ（金銭載置部７０の凹形状の深さ）は、硬貨の厚みよりも大きな値、例えば１０ｍｍ等とすることが好ましい。
【符号の説明】
【００７９】
１  決済端末
４  入出金部
１１  第１筐体
４１  紙幣入出金装置
４２  硬貨入出金装置
７０  金銭載置部
７１  金銭載置面
７２  案内壁
７３  ゴミ落とし孔
８０  ゴミ受け部
８１  収納部
９１  周縁部
４１１  紙幣投入口
４１２  紙幣排出口
４２１  硬貨投入部
４２２  硬貨排出皿
４２１１、４２１１ａ、４２１１ｂ、４２１１ｃ、４２１１ｄ  傾斜面
４２１２  孔
４２１３  連結部
【先行技術文献】
【特許文献】
【００８０】
【特許文献１】特開２０１５−１５６１３８号公報
【図１】
2018147513.tif 000003
【図２】
2018147513.tif 000004
【図３】
2018147513.tif 000005
【図４】
2018147513.tif 000006
【図５】
2018147513.tif 000007
【図６】
2018147513.tif 000008
【図７】
2018147513.tif 000009
【図８】
2018147513.tif 000010
【図９】
2018147513.tif 000011
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
客による決済処理に用いられる決済装置であって、
硬貨及び紙幣を収納し、収納した硬貨及び紙幣の出金を行う入出金部を内部に備える筐体と、
前記筐体に設けられ、硬貨が投入される硬貨投入部と、
前記硬貨投入部と前記筐体の幅方向に連接して設けられ、前記硬貨投入部に投入される硬貨が一時的に載置される金銭載置部と、
釣銭として払い出された硬貨を受ける硬貨排出皿と、
前記硬貨排出皿と前記筐体の幅方向に並んだ位置に設けられ、内部に収納すべきではない硬貨を受けるリジェクト皿と、
紙幣を受ける紙幣投入口及び紙幣を排出する紙幣排出口と、
を備え、
前記硬貨投入部及び前記金銭載置部は一体的に形成され、
前記硬貨投入部及び前記金銭載置部と、前記硬貨排出皿及び前記リジェクト皿と、前記紙幣投入口及び前記紙幣排出口とは、それぞれ前記筐体の高さ方向の位置が異なる位置に設けられ、
前記硬貨投入部又は前記金銭載置部は、前記筐体の幅方向の端部に寄せて設けられ、
前記硬貨排出皿は、前記硬貨投入部又は前記金銭載置部が設けられた前記筐体の幅方向の端部の反対側端部に寄せて設けられ、
前記紙幣投入口及び前記紙幣排出口は、前記硬貨投入部又は前記金銭載置部、前記硬貨排出皿、前記リジェクト皿と、それぞれ前記筐体の幅方向の位置が重なる位置に設けられる決済装置。
【請求項２】
前記硬貨投入部と前記金銭載置部との周縁を囲む周縁部を更に備える請求項１に記載の決済装置。
【請求項３】
前記金銭載置部は、前記筐体の幅方向の中央部をまたがる前記幅方向に長い形状を有する請求項１又は２に記載の決済装置。
【請求項４】
前記金銭載置部に載置した硬貨を滑らせて前記硬貨投入部に投入することができる請求項１〜３の何れか一項に記載の決済装置。
【請求項５】
前記金銭載置部は、硬貨が一時的に載置される金銭載置面を有し、
前記金銭載置面は、前記金銭載置部の使用方法を案内する表示を備える、
請求項１〜４の何れか一項に記載の決済装置。
【手続補正３】
【補正対象書類名】明細書
【補正対象項目名】０００１
【補正方法】変更
【補正の内容】
【０００１】
本発明の実施形態は、決済装置に関する。
【手続補正４】
【補正対象書類名】明細書
【補正対象項目名】０００５
【補正方法】変更
【補正の内容】
【０００５】
本発明が解決しようとする課題は、硬貨の投入を容易に行うことが可能な決済装置を提供することである。
【手続補正５】
【補正対象書類名】明細書
【補正対象項目名】０００６
【補正方法】変更
【補正の内容】
【０００６】
実施形態の決済装置は、客による決済処理に用いられる決済装置であって、硬貨及び紙幣を収納し、収納した硬貨及び紙幣の出金を行う入出金部を内部に備える筐体と、前記筐体に設けられ、硬貨が投入される硬貨投入部と、前記硬貨投入部と前記筐体の幅方向に連接して設けられ、前記硬貨投入部に投入される硬貨が一時的に載置される金銭載置部と、釣銭として払い出された硬貨を受ける硬貨排出皿と、前記硬貨排出皿と前記筐体の幅方向に並んだ位置に設けられ、内部に収納すべきではない硬貨を受けるリジェクト皿と、紙幣を受ける紙幣投入口及び紙幣を排出する紙幣排出口と、を備え、前記硬貨投入部及び前記金銭載置部は一体的に形成され、前記硬貨投入部及び前記金銭載置部と、前記硬貨排出皿及び前記リジェクト皿と、前記紙幣投入口及び前記紙幣排出口とは、それぞれ前記筐体の高さ方向の位置が異なる位置に設けられ、前記硬貨投入部又は前記金銭載置部は、前記筐体の幅方向の端部に寄せて設けられ、前記硬貨排出皿は、前記硬貨投入部又は前記金銭載置部が設けられた前記筐体の幅方向の端部の反対側端部に寄せて設けられ、前記紙幣投入口及び前記紙幣排出口は、前記硬貨投入部又は前記金銭載置部、前記硬貨排出皿、前記リジェクト皿と、それぞれ前記筐体の幅方向の位置が重なる位置に設けられる。
【手続補正６】
【補正対象書類名】明細書
【補正対象項目名】０００８
【補正方法】変更
【補正の内容】
【０００８】
以下に添付図面を参照して、決済装置の実施形態を詳細に説明する。本実施形態は、決済装置として、客が自身で商品登録及び決済を行うためのセルフチェックアウト装置の決済端末を適用した例について説明するものである。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
客による決済処理に用いられる決済装置であって、
硬貨及び紙幣を収納し、収納した硬貨及び紙幣の出金を行う入出金部を内部に備える筐体と、
前記筐体の幅方向の一方の端部側に寄せて設けられ、硬貨が投入される硬貨投入部と、
前記筐体の幅方向の他方の端部側から前記硬貨投入部と連接する位置にかけて設けられ、前記硬貨投入部に投入される硬貨が一時的に載置される金銭載置部と、
釣銭として払い出された硬貨を受ける硬貨排出皿と、
前記硬貨排出皿と前記筐体の幅方向に並んだ位置に設けられ、内部に収納すべきではない硬貨を受けるリジェクト皿と、
紙幣を受ける紙幣投入口及び紙幣を排出する紙幣排出口と、
を備え、
前記硬貨投入部及び前記金銭載置部は一体的に形成され、
前記筐体の高さ方向において、前記硬貨投入部及び前記金銭載置部を上段に、前記硬貨排出皿及び前記リジェクト皿を中段に、前記紙幣投入口及び前記紙幣排出口を下段に配置した階段状の構造を有し、
前記硬貨排出皿は、前記硬貨投入部が設けられた前記筐体の幅方向の端部の反対側端部に寄せて設けられ、
前記紙幣投入口及び前記紙幣排出口は、前記硬貨投入部及び前記リジェクト皿と、それぞれ前記筐体の幅方向の位置が重なる位置に設けられる決済装置。
【請求項２】
前記硬貨投入部と前記金銭載置部との周縁を囲む周縁部を更に備える請求項１に記載の決済装置。
【請求項３】
前記金銭載置部は、前記筐体の幅方向の中央部をまたがる前記幅方向に長い形状を有する請求項１又は２に記載の決済装置。
【請求項４】
前記金銭載置部に載置した硬貨を滑らせて前記硬貨投入部に投入することができる請求項１〜３の何れか一項に記載の決済装置。
【請求項５】
前記金銭載置部は、硬貨が一時的に載置される金銭載置面を有し、
前記金銭載置面は、前記金銭載置部の使用方法を案内する表示を備える、
請求項１〜４の何れか一項に記載の決済装置。
【手続補正２】
【補正対象書類名】明細書
【補正対象項目名】０００６
【補正方法】変更
【補正の内容】
【０００６】
実施形態の決済装置は、客による決済処理に用いられる決済装置であって、硬貨及び紙幣を収納し、収納した硬貨及び紙幣の出金を行う入出金部を内部に備える筐体と、前記筐体の幅方向の一方の端部側に寄せて設けられ、硬貨が投入される硬貨投入部と、前記筐体の幅方向の他方の端部側から前記硬貨投入部と連接する位置にかけて設けられ、前記硬貨投入部に投入される硬貨が一時的に載置される金銭載置部と、釣銭として払い出された硬貨を受ける硬貨排出皿と、前記硬貨排出皿と前記筐体の幅方向に並んだ位置に設けられ、内部に収納すべきではない硬貨を受けるリジェクト皿と、紙幣を受ける紙幣投入口及び紙幣を排出する紙幣排出口と、を備え、前記硬貨投入部及び前記金銭載置部は一体的に形成され、前記筐体の高さ方向において、前記硬貨投入部及び前記金銭載置部を上段に、前記硬貨排出皿及び前記リジェクト皿を中段に、前記紙幣投入口及び前記紙幣排出口を下段に配置した階段状の構造を有し、前記硬貨排出皿は、前記硬貨投入部が設けられた前記筐体の幅方向の端部の反対側端部に寄せて設けられ、前記紙幣投入口及び前記紙幣排出口は、前記硬貨投入部及び前記リジェクト皿と、それぞれ前記筐体の幅方向の位置が重なる位置に設けられる。